(57)【要約】【課題】  排水栓蓋を支持するプランジャーに横方向の荷重がかかった場合であっても、インナーワイヤが破損するのを防止する。【解決手段】  排水栓蓋を昇降させる作動部は、ケースと、ケースの内部に収められて上端部に排水栓蓋が装着されて下部に下開口部を有し、ケースの上開口部を介して上下動する中空のプランジャーと、プランジャーの下開口部に装着されてインナーワイヤに摺動自在な筒状ガード部を有する底板と、プランジャーが下方に押し戻されるとインナーワイヤへの緩衝がなされるショックアブソーバスプリングと、インナーワイヤ先端に被せられプランジャーの内部をガード部に沿って進退してショックアブソーバスプリングを受ける受け面を有する内筒と、プランジャーをケース内に押し戻す戻しバネと、を備え、プランジャーからインナーワイヤに負荷がかかると、ガード部がインナーワイヤに沿って下降し、内筒は下降が抑制される。【選択図】  図６
2015071861.tif 000002
【特許請求の範囲】
【請求項１】
操作部と、排水栓蓋と、アウターチューブの中にインナーワイヤが挿入されてなり、前記操作部の動作を前記排水栓蓋に伝えるレリースワイヤと、前記レリースワイヤの前記排水栓蓋側の端部に設けられて前記アウターチューブに対するインナーワイヤの進退動作を前記排水栓蓋に伝えて排水栓蓋を昇降させる作動部と、を備えた遠隔操作式排水栓装置において、
前記作動部は、
下部に前記アウターチューブが固定されると共に、インナーワイヤが下部から内部に挿入される中空体であって、上面に上開口部を有するケースと、
前記ケースの内部に収められ、上端部に前記排水栓蓋が装着され、下部に下開口部を有し、前記上開口部を介して上下動する中空のプランジャーと、
前記プランジャーの下開口部に装着されて、前記インナーワイヤに対して摺動自在な筒状のガード部を有する底板と、
前記プランジャーの内部に挿入されて、前記インナーワイヤが前記排水栓蓋側に進出した状態から前記プランジャーが押し戻されたときに前記インナーワイヤへの緩衝がなされるショックアブソーバスプリングと、
前記インナーワイヤの先端部に被せられて前記プランジャーの内部を前記ガード部に沿って進退可能とされ、前記ショックアブソーバスプリングを受けるアブソーバ受け面を有する内筒と、
前記ケースと前記プランジャーの間に挿入されて、前記プランジャーを前記ケース内に押し戻すことが可能な戻しバネと、
を備え、
前記インナーワイヤが前記排水栓蓋側に進出して前記プランジャーを押し出した状態で前記プランジャーに前記インナーワイヤ側への負荷がかかると、前記プランジャー及び底板は前記インナーワイヤに対して押し戻されて前記ガード部が前記インナーワイヤに沿って下降し、前記内筒は前記ショックアブソーバスプリングが前記負荷を緩衝することによって下降が抑制されるように動作することを特徴とする遠隔操作式排水栓装置。
【請求項２】
前記ガード部は、前記底板が前記インナーワイヤに対して押し戻された状態であってもそのプランジャー側の先端が前記内筒の内部にとどまることを特徴とする請求項１記載の遠隔操作式排水栓装置。
【発明の詳細な説明】
【技術分野】
【０００１】
本発明は、浴槽、洗面ボウルなどの水槽の排水口を開閉する遠隔操作式の排水栓装置に関する。
【背景技術】
【０００２】
従来の遠隔操作式の排水栓装置は、排水口を開閉する排水栓蓋と、操作ボタンと、操作ボタンの動作を排水栓蓋に伝達するレリースワイヤと、操作ボタンの動きをレリースワイヤに伝える機構部と、レリースワイヤの動きを排水栓蓋に伝えるプランジャー付きの作動部と、を備えている。ここでプランジャーは、レリースワイヤのインナーワイヤの先端を受け入れるとともに、その先端に排水栓蓋を着脱可能に支持する部材である。そして、特許文献１に記載された排水栓装置は、作動部では、プランジャーにショックアブソーバスプリングが内蔵され、インナーワイヤ（コアコイル）の露出部分の外周を囲う剛性のあるプランジャーガイドを設けて、インナーワイヤの座屈を防止している。
【先行技術文献】
【特許文献】
【０００３】
【特許文献１】特開２００８−２２３４５３号公報
【発明の概要】
【発明が解決しようとする課題】
【０００４】
しかし、特許文献１の技術によれば、インナーワイヤは剛性のあるプランジャーガイドで囲まれているので、上昇した排水栓蓋が外されてプランジャーが上がった状態で蹴られたりすると、その衝撃でインナーワイヤに横方向の荷重がかかり、プランジャーガイドがインナーワイヤの側方に想定以上の負荷を加えてしまい、インナーワイヤが破損する恐れがある。
本発明では、排水栓蓋を支持するプランジャーに想定外の負荷がかかった場合であっても、インナーワイヤが破損するのを防止することができる遠隔操作式排水栓装置を提供することを目的とする。
【課題を解決するための手段】
【０００５】
上記した課題を解決するために、本発明は、操作部と、排水栓蓋と、アウターチューブの中にインナーワイヤが挿入されてなり、前記操作部の動作を前記排水栓蓋に伝えるレリースワイヤと、前記レリースワイヤの前記排水栓蓋側の端部に設けられて前記アウターチューブに対するインナーワイヤの進退動作を前記排水栓蓋に伝えて排水栓蓋を昇降させる作動部と、を備えた遠隔操作式排水栓装置において、前記作動部は、下部に前記アウターチューブが固定されると共に、インナーワイヤが下部から内部に挿入される中空体であって、上面に上開口部を有するケースと、前記ケースの内部に収められ、上端部に前記排水栓蓋が装着され、下部に下開口部を有し、前記上開口部を介して上下動する中空のプランジャーと、前記プランジャーの下開口部に装着されて、前記インナーワイヤに対して摺動自在な筒状のガード部を有する底板と、前記プランジャーの内部に挿入されて、前記インナーワイヤが前記排水栓蓋側に進出した状態から前記プランジャーが押し戻されたときに前記インナーワイヤへの緩衝がなされるショックアブソーバスプリングと、前記インナーワイヤの先端部に被せられて前記プランジャーの内部を前記ガード部に沿って進退可能とされ、前記ショックアブソーバスプリングを受けるアブソーバ受け面を有する内筒と、前記ケースと前記プランジャーの間に挿入されて、前記プランジャーを前記ケース内に押し戻すことが可能な戻しバネと、を備え、前記インナーワイヤが前記排水栓蓋側に進出して前記プランジャーを押し出した状態で前記プランジャーに前記インナーワイヤ側への負荷がかかると、前記プランジャー及び底板は前記インナーワイヤに対して押し戻されて前記ガード部が前記インナーワイヤに沿って下降し、前記内筒は前記ショックアブソーバスプリングが前記負荷を緩衝することによって下降が抑制されるように動作することを特徴とする。
【０００６】
これによれば、インナーワイヤが排水栓蓋側に進出した状態で排水栓蓋を踏み込むなどしてプランジャーが押し戻されても、プランジャーが戻る力はショックアブソーバスプリングによって緩衝されてインナーワイヤに伝わる。そのため、インナーワイヤに無理な力がかかることはなく、インナーワイヤの損傷は抑制される。
【０００７】
また、ショックアブソーバスプリングが働いている状態下では、アウターチューブから進出したインナーワイヤは、その外周が内筒及びガード部で保護される。そのため、アウターチューブで被覆されていないインナーワイヤが、プランジャーが戻る力で座屈するのが抑制される。
【０００８】
これによって、インナーワイヤの損傷を抑制して、故障しにくい排水栓装置を提供することが可能となる。
【０００９】
前記ガード部は、前記底板が前記インナーワイヤに対して押し戻された状態であってもそのプランジャー側の先端が前記内筒の内部にとどまる長さを有することを特徴とする。
【００１０】
これによって、ガード部と下カード部とでインナーワイヤの外周を保護するので、底板よりも下方のインナーワイヤが座屈するのを抑制することが可能となる。
【発明の効果】
【００１１】
本発明によれば、排水栓蓋を支持するプランジャーに想定外の負荷がかかった場合であっても、インナーワイヤが破損するのを防止することができる遠隔操作式排水栓装置を提供することが可能となる。
【図面の簡単な説明】
【００１２】
【図１】本発明の一実施形態にかかる排水栓装置を示す概略断面図である。
【図２】図１に示す排水栓装置の排水栓部を示す断面図である。
【図３】浴槽の一部を切り欠いて、排水栓蓋１９０を外した状態の排水口付近を斜め上から見下ろした斜視図である。
【図４】排水栓を閉じた状態における排水栓蓋側の作動部の断面図である。
【図５】排水栓を開いた状態における排水栓蓋側の作動部の断面図である。
【図６】図５の状態から、排水栓蓋を外してプランジャーを踏み込んだ状態における排水栓蓋側の作動部の断面図である。
【００１３】
以下、図面を参照して、本発明の実施の形態を説明する。
図１は本発明の一実施形態にかかる遠隔操作式の排水栓装置を示す概略断面図である。
排水栓装置１００は、浴槽２００（水槽）に設けられた排水口２１０に取り付けられる排水栓部１００Ａと、浴槽２００のリム面２２０に形成された貫通孔２２１に取り付けられる操作部１００Ｂと、を備え、排水栓部１００Ａと操作部１００Ｂとをレリースワイヤ１６０で接続した遠隔操作式の排水栓装置である。
【００１４】
レリースワイヤ１６０は、操作部１００Ｂと排水栓部１００Ａとを接続するように設けられたホース１６５の内部に配設され、アウターチューブの内部でインナーワイヤが進退するように構成されている。
【００１５】
操作部１００Ｂは、操作ボタン１５０と、機能部１６２とを備えている。機構部１６２は、操作ボタン１５０を押すたびに機構部１６２内でレリースワイヤ１６０のインナーワイヤを押し込んで、操作ボタン１５０の進退動作をレリースワイヤ１６０に伝えるように機能する。また、使用者が操作ボタン１５０から手を離すと、押込まれたロッド（図示せず）を上昇させる復帰バネ（図示せず）を内蔵して、操作ボタン１５０を上昇させる。さらに、機構部１６２の内部にスラストロック式のラッチ機構（図示せず）を内蔵させ、押しボタン１５０を押すたびに、高い位置と低い位置とに交互に押しボタン１５０が位置するようにして、排水栓蓋１９０が排水口２１０を閉じる位置と排水口２１０を開く位置とに保持する。
【００１６】
次に、排水栓部１００Ａについて説明する。図２は排水栓部１００Ａを示す断面図、図３は浴槽の一部を切り欠いて排水栓蓋１９０を外した状態の排水口付近を斜め上から見下ろした斜視図である。
排水栓部１００Ａは、浴槽２００の排水口２１０の下部に取り付けられた排水管部材としての支持金具１８０に、レリースワイヤ１６０の一端に設けられた作動部１７０を取り付け、その作動部１７０に排水口２１０を閉じるシール部付きの排水栓蓋１９０を着脱可能に取り付けている。そして、操作部１００Ｂに設けた操作ボタン１５０を押すことによってレリースワイヤ１６０を介して作動部１７０が排水栓蓋１９０を昇降させて、排水口２１０を開閉する。
【００１７】
作動部１７０は、円筒形状であり、保持部１２０及び筒状台座１３０によって支持金具１８０に取り付けられている。筒状台座１３０は、支持金具１８０の流路１８１に挿入され、その流路１８１に設けた段部１８２に筒状台座１３０の底面が載ることによって位置決めされる。また、支持金具１８０に挿入された筒状台座１３０の上方から、締付ナット１４０を支持金具１８０に螺合させる。締付ナット１４０は、支持金具１８０の流路に形成した雌ネジに、締付ナット１４０の底面が筒状台座１３０の上面に接触するまで螺合させることによって、筒状台座１３０を上下動しないように拘束している。
【００１８】
なお、図示しないが、支持金具１８０には、前述したホース１６５の一端が取り付けられている。
【００１９】
次に、作動部１７０について説明する。
図４は、排水栓を閉じた状態における排水栓蓋側の作動部の断面図、図５は、排水栓を開いた状態における排水栓蓋側の作動部の断面図、図６は、開栓された排水栓蓋を外してプランジャーを踏み込んだ状態における排水栓蓋側の作動部の断面図である。
【００２０】
作動部１７０は、下部にアウターチューブ１６０ａが固定されるケース１７１と、ケース１７１の内部に収められて上下動する中空状のプランジャー１７２と、インナーワイヤ１６０ｂに対して摺動自在な筒状のガード部１７３ａを有する底板１７３と、内部にインナーワイヤ１６０ｂの先端部が被せられてプランジャー１７２の内部を進退可能な内筒１７４と、プランジャー１７２と内筒１７４との間に挿入されるショックアブソーバスプリング１７５と、ケース１７１とプランジャー１７２の間に挿入される戻しバネ１７６と、を備えている。
【００２１】
ケース１７１は、下部にアウターチューブ１６０ａが固定されると共に、インナーワイヤ１６０ｂが下部から内部に挿入される中空体形状であり、その中空体の上面に上開口部１７１ａを有する。
【００２２】
プランジャー１７２は、ケース１７１の内部に収められ、上端部に排水栓蓋１９０が着脱可能に装着され、下部に下開口部１７２ａを有し、その下開口部１７２ａを介して上下動する。
【００２３】
底板１７３は、プランジャー１７２の下開口部１７２ａに装着されて、インナーワイヤ１６０ｂに対して摺動可能な筒状のガード部１７３ａを有する。
【００２４】
内筒１７４は、内部にインナーワイヤ１６０ｂの先端部に被せられてプランジャー１７２の内部のガード部１７３ａに沿って進退可能である。また、内筒１７４の下端には、ショックアブソーバスプリング１７５の下端を受けるアブソーバ受け面１７４ａを有している。
【００２５】
ショックアブソーバスプリング１７５は、プランジャー１７２と内筒１７４との間に挿入されて、インナーワイヤ１６０ｂが排水栓蓋１９０側に進出した状態でプランジャー１７２が押し戻されたときにインナーワイヤ１６０ｂへの緩衝がされる。
【００２６】
戻しバネ１７６は、ケース１７１とプランジャー１７２の間に挿入されている。戻しバネ１７６は、プランジャー１７２をケース１７１内に押し戻すことが可能である。
【００２７】
また、ガード部１７３ａは、底板１７３がインナーワイヤ１６０ｂに対して押し戻された状態であってもそのプランジャー側の先端が内筒１７４の内部にとどまる長さを有する。
【００２８】
次に、この排水栓装置の動作について説明する。
排水栓蓋１９０が下降した状態（図４参照）において、操作部１００Ｂの操作ボタン１５０を押すと、インナーワイヤ１６０ｂが排水栓部１００Ａ側に進んで内筒１７４、ショックアブソーバスプリング１７５、プランジャー１７２を介して排水栓蓋１９０を上昇させて排水口２１０を開き（図５参照）、その位置で機構部１６２がインナーワイヤ１６０ｂを保持する。
【００２９】
この状態から再度、操作ボタン１５０を押すと、機構部１６２はインナーワイヤ１６０ｂの保持を解除するので、操作ボタン１５０から手を離すとインナーワイヤ１６０ｂは操作部１００Ｂ側に戻される。それに伴い上昇していた排水栓蓋１９０はインナーワイヤ１６０ｂによる支持を失い、戻しバネ１７６によって下降し、排水口２１０を閉じる（図４参照）
【００３０】
ここで、排水栓蓋１９０は、作動部１７０のプランジャー１７２に対して着脱可能である。排水栓蓋１９０や排水口２１０を掃除する際には、図５のように排水栓蓋１９０を上昇させた状態で、プランジャー１７２から排水栓蓋１９０を取り外すことが可能である。排水栓蓋１９０が外されたプランジャー１７２は、その先端が排水口２１０から上方に突出するので、作業中にプランジャー１７２を誤って踏み込んだり蹴飛ばしたりすることがある。すると、プランジャー１７２に思わぬ負荷がかかり、プランジャー１７２を下方に押し戻そうとする。ところが、操作ボタン１５０は押されていないので、機構部１６２のラッチ機構はインナーワイヤ１６０ｂの保持を解除していない。そのため、インナーワイヤ１６０ｂは戻ることができないが、インナーワイヤ１６０ｂは動かずにプランジャー１７２及びプランジャー１７２と一体化された底板１７３が下方に押し戻される。その際、底板１７３に設けられた筒状のガード部１７３ａが、インナーワイヤ１６０ｂの周囲に沿って下方に移動するので、ケース１７１の内部の下方側のインナーワイヤ１６０ｂはガード部１７３ａによって保護されることになる。これにより、インナーワイヤ１６０ｂの破損を防止することが可能となる。
【００３１】
なお、ガード部１７３ａは、プランジャー１７２が押し戻されるにしたがって、徐々に下方に移動してインナーワイヤ１６０ｂを保護していく。プランジャー１７２にかかる負荷が大きくなるとプランジャー１７２が押し戻される量も大きくなるので、このガード部１７３ａによれば、負荷が大きい場合にインナーワイヤ１６０ｂを効果的に保護することが可能となる。
【００３２】
さらに、底板１７３のガード部１７３ａに対して進退可能な内筒１７４はインナーワイヤ１６０ｂの先端部に被せられている。プランジャー１７２が最大限押し戻された状態でも、ガード部１７３ａの先端は内筒１７４の内部にとどまり、ガード部１７３ａと内筒１７４は一部が重なった状態となる。そのため、インナーワイヤ１６０ｂは、ガード部１７３ａのみではなく、内筒１７４によっても保護されることになる。
【００３３】
本実施形態においては、インナーワイヤ１６０ｂが排水栓蓋側に進出した状態で排水栓蓋１９０を踏み込むなどしてプランジャー１７２が押し戻されても、プランジャー１７２が戻る力はショックアブソーバスプリング１７５によって緩衝されてインナーワイヤ１６０ｂに伝わる。そのため、インナーワイヤ１６０ｂに無理な力がかかることはなく、インナーワイヤ１６０ｂの損傷は抑制される。
【００３４】
また、ショックアブソーバスプリング１７５が働いている状態下では、アウターチューブ１６０ａから進出したインナーワイヤ１６０ｂは、その外周が内筒１７４及びガード部１７３ａで保護される。そのため、アウターチューブ１６０ａで被覆されていないインナーワイヤ１６０ｂが、プランジャー１７２が戻る力で座屈するのが抑制される。
したがって、インナーワイヤ１６０ｂの損傷を抑制して、故障しにくい排水栓装置を提供することが可能となる。
【００３５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【００３６】
本実施形態では、排水栓装置１００を浴槽２００に取り付ける例を説明したが、洗面ボウルに取り付ける際にも本発明を適用可能である。また、操作ボタン１５０の取付対象部として、やはり浴槽２００を例示して説明したが、浴槽２００に隣接するカウンターの上面を操作ボタン１５０の取付対象部としてもよい。また、操作ボタン１５０を取り付ける取付対象部は、水平面に限らず、垂直面あるいは傾斜面であってもよい。
【符号の説明】
【００３７】
１００：排水栓装置
１００Ａ：排水栓部
１００Ｂ：操作部
１６０：レリースワイヤ
１６０ａ：アウターチューブ
１６０ｂ：インナーワイヤ
１７０：作動部
１７１：ケース
１７１ａ：上開口部
１７２：プランジャー
１７２ａ：下開口部
１７３：底板
１７３ａ：ガード部
１７４：内筒
１７４ａ：アブソーバ受け面
１７５：ショックアブソーバスプリング
１７６：戻しバネ
１９０：排水栓蓋
【図１】
2015071861.tif 000003
【図２】
2015071861.tif 000004
【図３】
2015071861.tif 000005
【図４】
2015071861.tif 000006
【図５】
2015071861.tif 000007
【図６】
2015071861.tif 000008